(57)【要約】【課題】一般的な内臓マイクを用いて電子機器の故障予測を行うことができる電子機器を提供する。【解決手段】本体１１の内部に設けられた集音ユニット３０１ａが、本体１１の外部の音を集音するための集音形態である第１の集音形態、または本体１１の内部の音を集音するための集音形態である第２の集音形態のいずれの形態であるかを検出する。集音ユニット３０１ａが第２の集音形態であると検出された場合、本体１１の内部から集音した音の解析を行い、故障の可能性が高いか否かを判別する。【選択図】図１
2011128012.tif 000002
【特許請求の範囲】
【請求項１】
筐体と、
前記筐体の内部に設けられた集音部と、
前記集音部が、前記筐体の外部の音を集音するための集音形態である第１の集音形態、または前記筐体の内部の音を集音するための集音形態である第２の集音形態のいずれの形態であるかを検出する検出部と、
前記検出部によって前記集音部が前記第２の集音形態であると検出された場合、前記筐体の内部から集音した音の解析を行い、故障の可能性が高いか否かを判別する判別部と、を備えることを特徴とする電子機器。
【請求項２】
前記第２の集音形態における集音位置は、前記第１の集音形態における集音位置よりも前記筐体の内側であることを特徴とする請求項１に記載の電子機器。
【請求項３】
前記集音部は、当該集音部が前記筐体に設けられた軸を基準として回動することによって、前記第１の集音形態と前記第２の集音形態の両方の形態を取ることを特徴とする請求項１に記載の電子機器。
【請求項４】
前記集音部は、前記筐体の内側に入り込むことによって、前記第１の集音形態と前記第２の集音形態の両方の形態を取ることを特徴とする請求項１に記載の電子機器。
【請求項５】
前記集音部は音を取り込むための集音開口部と、当該集音開口部を閉塞状態または開放状態とするためのスライド扉部とを備え、
前記スライド扉部がスライドされ前記集音開口部が閉塞状態または開放状態となることによって、前記第１の集音形態と前記第２の集音形態の両方の形態を取ることを特徴とする請求項１に記載の電子機器。
【請求項６】
前記筐体は、回転部をさらに備えており、
前記集音部には、前記回転部まで配設された第１の集音部材が接続されていると共に、前記回転部には、第１の集音位置まで配設された第２の集音部材が接続されており、前記回転部を基準として前記第１の集音位置から第２の集音位置まで前記第２の集音部材を回動することによって、前記第１の集音形態と前記第２の集音形態の両方の形態を取ることを特徴とする請求項１に記載の電子機器。
【請求項７】
筐体と、
前記前記筐体の外部の音を集音する第１の位置と、前記筐体の内部の音を集音する第２の集音位置との間を移動可能に設けられた集音部と、
前記集音部が前記第２の集音位置にある場合、前記筐体の内部から集音した音の解析を行い、故障の可能性が高いか否かを判別する判別部と、を備えることを特徴とする電子機器。
【請求項８】
筐体と、
前記前記筐体の外部の音を集音する第１の位置と、前記筐体の内部の音を集音する第２の集音位置との間を移動可能に設けられた集音部と、を備えることを特徴とする電子機器。
【発明の詳細な説明】
【技術分野】
【０００１】
本発明は、内臓マイクを備えた電子機器に係り、特に内臓マイクからの収集音に基づいて故障予測を行うことが可能な電子機器に関する。
【背景技術】
【０００２】
一般的に、電子機器の内部の稼動音を収集して、当該電子機器の異常音を検出することで、電子機器の故障を予測する技術が用いられている。即ち、電子機器の内部に専用の集音器であるマイクを備え、この専用のマイクから収集された収集音に基づいて電子機器の故障予測を行っている。例えば、特許文献１には、プリンタ内部に専用のマイクを備えており、稼動音測定用のテストパターンを実行して、プリンタの各駆動部分を単独で駆動させた場合の駆動音に基づいて電子機器の故障予測を行う技術が開示されている。
【先行技術文献】
【特許文献】
【０００３】
【特許文献１】特開２００６−２０８０７４号公報
【発明の概要】
【発明が解決しようとする課題】
【０００４】
しかし、特許文献１の技術は、機器の稼動音を収集するための専用のマイクを備える必要があるため、コストが高くなるという課題がある。
【０００５】
本発明は上述の事情を考慮してなされたものであり、電子機器の故障予測を効率的に行うことができる電子機器を提供することを目的とする。
【課題を解決するための手段】
【０００６】
上記目的を達成するために、筐体と、前記筐体の内部に設けられた集音部と、前記集音部が、前記筐体の外部の音を集音するための集音形態である第１の集音形態、または前記筐体の内部の音を集音するための集音形態である第２の集音形態のいずれの形態であるかを検出する検出部と、前記検出部によって前記集音部が前記第２の集音形態であると検出された場合、前記筐体の内部から集音した音の解析を行い、故障の可能性が高いか否かを判別する判別部とを備えることを特徴とする電子機器を提供する。
【０００７】
さらに、筐体と、前記前記筐体の外部の音を集音するための集音位置である第１の位置と、前記筐体の内部の音を集音するための集音位置である第２の集音位置とを可動可能に設けられた集音部と、前記第２の集音位置である場合、前記筐体の内部から集音した音の解析を行い、故障の可能性が高いか否かを判別する判別部とを備えることを特徴とする電子機器を提供する。
【０００８】
また、筐体と、前記前記筐体の外部の音を集音するための集音位置である第１の位置と、前記筐体の内部の音を集音するための集音位置である第２の集音位置とを可動可能に設けられた集音部とを備えることを特徴とする電子機器を提供する。
【発明の効果】
【０００９】
本発明によれば、電子機器の故障予測を効率的に行うことができる。
【図面の簡単な説明】
【００１０】
【図１】本発明の第１実施形態に係る電子機器の外観を示す図。
【図２】同実施形態に係る電子機器の構成を示すブロック図。
【図３】同実施形態に係る電子機器で用いられる故障検出アプリケーションの機能構成を示す図。
【図４】同実施形態に係る電子機器が備える内臓マイクの集音形態の変化について模式的に示した図。
【図５】同実施形態に係る電子機器が備える内臓マイクの集音形態の変化について模式的に示した図。
【図６】同実施形態に係る電子機器が備える内臓マイクの集音形態の変化について模式的に示した図。
【図７】同実施形態に係る電子機器によるサウンド処理を示したフローチャート
【図８】同実施形態に係る電子機器による故障予測処理を示したフローチャート
【図９】同実施形態に係る電子機器が備えるデータベースに記憶されているテーブルデータおよび閾値情報の概念を示す図。
【図１０】同実施形態に係る電子機器が備えるデバイスから採取した騒音データ（音量）を時系列で示す図。
【図１１】同実施形態に係る電子機器が備えるデバイスから採取した騒音データ（音量）を時系列で示す図。
【図１２】同実施形態に係る電子機器が備える内臓マイクの集音形態の変化について模式的に示した図。
【図１３】同実施形態に係る電子機器が備える内臓マイクの集音形態の変化について模式的に示した図。
【図１４】同実施形態に係る電子機器が備える内臓マイクの集音形態の変化について模式的に示した図。
【図１５】同実施形態に係る電子機器が備える内臓マイクの集音形態の変化について模式的に示した図。
【図１６】同実施形態に係る電子機器が備える内臓マイクの集音形態の変化について模式的に示した図。
【図１７】同実施形態に係る電子機器が備える内臓マイクの集音形態の変化について模式的に示した図。
【図１８】同実施形態に係る電子機器が備える内臓マイクの集音形態の変化について模式的に示した図。
【図１９】同実施形態に係る電子機器が備える内臓マイクの集音形態の変化について模式的に示した図。
【図２０】同実施形態に係る電子機器が備える内臓マイクの集音形態の変化について模式的に示した図。
【図２１】同実施形態に係る電子機器が備える内臓マイクの集音形態の変化について模式的に示した図。
【図２２】同実施形態に係る電子機器が備える回転部の概観を模式的に示す図。
【図２３】同実施形態に係る電子機器が備える回転部の概観を模式的に示す図。
【発明を実施するための形態】
【００１１】
（第１実施形態）
以下、本発明の第１実施形態について図面を参照しながら説明する。
【００１２】
まず、図１を参照して、本発明の第１実施形態に係る電子機器の構成を説明する。本実施形態の電子機器は、例えば、ノートブック型のパーソナルコンピュータ１０として実現されている。なお、本実施形態では、ノートブック型のパーソナルコンピュータ１０として説明しているが、これに限定されるものではない。例えば、ＰＤＡ（Personal Digital Assistant）等、予め音声等の録音に用いるための内臓マイクおよびオーディオコーデックを備えた機器であればよい。
【００１３】
図１に示すように、コンピュータ１０は、コンピュータ本体（筐体）１１と、ディスプレイユニット１２とから構成されている。ディスプレイユニット１２にはＬＣＤ（Liquid Crystal Display）からなる表示装置が組み込まれており、その表示画面であるＬＣＤ１２１はディスプレイユニット１２のほぼ中央に位置されている。
【００１４】
ディスプレイユニット１２は、コンピュータ１０に対して解放位置と閉塞位置との間を回動自在に取り付けられている。コンピュータ１０の本体１１側は薄い箱形の筐体を有しており、その上面にはスピーカ３０５、電源ボタン２１、キーボード１２５、パームレスト上にはタッチパッド１２４、左右２つのボタン１２４ａ、１２４ｂ、コンピュータ１０の本体側側面には、内臓マイク３０１等が配置されている。
【００１５】
次に、図２を参照して、電子機器１０のシステム構成について説明する。
【００１６】
本電子機器１０は、図２に示されているように、ＣＰＵ１１１、ＭＣＨ（Memory Controller Hub）１１３、主メモリ１１２、ＩＣＨ（I/O Controller Hub）１１６、ハードディスクドライブ（ＨＤＤ）１１７、光ディスクドライブ（ＯＤＤ）１１８、ＢＩＯＳ−ＲＯＭ１１９、エンベデッドコントローラ（ＥＣ）１２０、冷却ＦＡＮ５００、位置センサ４００、内臓マイク３０１、Ｌｉｎｅ  ｉｎ（ライン入力）３０２、オーディオコーデック（Audio Codec）３０３、スピーカアンプ（Speaker Amp）３０４、スピーカ（Speaker）３０５、および電源回路１３０等を備えている。
【００１７】
ＣＰＵ１１１は本電子機器１０の動作を制御するプロセッサであり、ハードディスクドライブ（ＨＤＤ）１１７から主メモリ１１２にロードされる、オペレーティングシステム（ＯＳ）２０２、および故障検出アプリケーションプログラム２０１（以下、故障検出アプリケーションとも称する）のような各種アプリケーションプログラムを実行する。故障検出アプリケーションプログラム２０１は、ＣＰＵ１１１の制御の下、本体（筐体）１１内部に設けられた内臓マイク３０１を含む集音ユニットが、本体１１の外部の音を集音するための集音形態である第１の集音形態、または本体１１の内部の音を集音するための集音形態である第２の集音形態のいずれに位置するかを検出する。さらに、故障検出アプリケーションプログラム２０１は、ＣＰＵ１１１の制御の下、内臓マイク３０１の集音位置が第２の集音形態であると検出された場合、本体１１の内部から集音した音（騒音）の解析を行い、故障（の可能性が高い）か否かを判別するソフトウェアである。
【００１８】
ＭＣＨ１１３はＣＰＵ１１１のローカルバスとＩＣＨ１１６との間を接続するブリッジデバイスである。ＭＣＨ１１３には、主メモリ１１２をアクセス制御するメモリコントローラも内蔵されている。
【００１９】
ＩＣＨ１１６は、バスを介して接続された各デバイス等を制御する。また、ＩＣＨ１１６は、ハードディスクドライブ（ＨＤＤ）１１７およびＯＤＤ１１８を制御するためのＩＤＥ（Integrated Drive Electronics）コントローラを内蔵している。
【００２０】
エンベデッドコントローラ（ＥＣ）１２０は、電力管理のためのエンベデッドコントローラがＩＣチップ化されたマイクロコンピュータである。
【００２１】
内臓マイク３０１は、集音する集音形態を切り替えることにより、コンピュータ１０に対して外部から入ってくる音（ユーザの音声、コンピュータ１０の周辺の音など）、およびコンピュータ１０の内部から発生する音（コンピュータ１０が備えるデバイスから発生する音など）の両方の音を集音することができる。
【００２２】
位置センサ４００は、可動式である内臓マイク３０１の集音形態を検出する。内臓マイク３０１の集音形態は、コンピュータ１０に対して外部から入ってくる音を集音する場合の第１の集音形態、およびコンピュータ１０の内部から発生する音を集音する場合の第２の集音形態のいずれかに配置する構成となっている。位置センサ４００は、内臓マイク３０１が第１の集音形態における集音位置または第２の集音形態における集音位置のいずれの形態であるかを示す位置情報を検出して、ＥＣ１２０に通知する（後述）。
【００２３】
次に、図３を参照して、電子機器１０の故障検出アプリケーション２０１の機能構成について説明する。
【００２４】
故障検出アプリケーション２０１は、制御判別部２０１ａを備えている。制御判別部２０１ａは、位置センサ４００から受信した内臓マイク３０１の集音位置の位置情報５５１に基づいて、第１の集音形態、または第２の集音形態のいずれに位置するかを検出する。第１の集音形態は、内臓マイク３０１が本体１１の外部の音を集音するための集音形態である第１の集音形態であり、また、第２の集音形態は、本体１１の内部の音を集音するための集音形態である。
【００２５】
さらに、制御判別部２０１ａは、位置情報５５１に基づいて内臓マイク３０１が第２の集音形態における集音位置に位置すると検出した場合、内臓マイク３０１から受信したサウンドデータ５５０である本体１１の内部から集音した音（騒音）の解析を行う。本体１１の内部から集音した音（騒音）は、コンピュータ１０が備える各種デバイスから発生する騒音である。上述した解析を行う場合、制御判別部２０１ａは、ＨＤＤ１１７のＤＢ部１１７ａに記憶されているテーブルデータ（正常稼動時のサウンドデータ）および所定の閾値（情報）５５２と比較を行い、閾値（情報）を例えば超えた場合等に、故障の可能性があると判別する。
【００２６】
次に、上述した内臓マイク３０１の集音形態の変化について、図４〜図６を参照して説明する。図４〜図６は、本発明の実施形態に係る電子機器で用いられる内臓マイク３０１の集音形態であるスライド方式を模式的に示した概略図である。
【００２７】
図４は、ユーザの音声採取等通常のサウンド動作を行わせる場合の内蔵マイク３０１を含んだ可動式の集音ユニット３０１ａ（内蔵マイク３０１、集音開口部（集音形態）６００）の実装位置（第１の集音形態）の状態を示している。内蔵マイク３０１が第１の集音形態における集音位置に配置されている場合は、位置検出ＳＷ４００ａに集音ユニット３０１ａが接触して位置検出ＳＷ４００ａがＯＮ状態となる。即ち、内蔵マイク３０１を含んだ集音ユニット３０１ａがどちらの位置に配置されているかを位置センサ４００である位置検出ＳＷ（スイッチ）４００ａ、４００ｂによって識別することができる。第１の集音形態における集音位置では、内蔵マイク３０１と集音用開口部６００とが接近している状態となることで、ユーザの音声やコンピュータ１０の外部の音を集音することができる。
【００２８】
また、内蔵マイク３０１を含む集音ユニット３０１ａは、本体（筐体）１１の例えば右側面のスライドレバー６０１を操作することで移動する構造になっている。
【００２９】
図５は、スライドレバー６０１を図４の状態より手前から奥側に操作することで、内蔵マイク３０１を含む集音ユニット３０１ａの位置を装置内の第２の集音形態に移動させた状態を示している。第２の集音形態における集音位置では、内蔵マイク３０１がコンピュータ１０内の各デバイスの騒音（ＨＤＤやＤＶＤやＦＡＮ等の回転音）の採取を行うことができる。内蔵マイク３０１が第２の集音形態における集音位置に配置されている場合は、集音ユニット３０１ａが位置検出ＳＷ４００ｂに接触してＯＮ状態となり、集音ユニット３０１ａの位置が判別され、ＥＣ１２０に位置情報が通知される。第２の集音形態における集音位置は、内蔵マイク３０１と集音用開口部６００とが離れている状態であると共に、内蔵マイク３０１とコンピュータ１０内部の各デバイスとの位置が近くなる状態となっており、内蔵マイク３０１によって、これらのデバイスの騒音（ＨＤＤやＤＶＤやＦＡＮ等の回転音）の採取を行うことができる。
【００３０】
さらに、スライドレバー６０１を手前に引き戻すことで、図６に示されるように、集音ユニット３０１ａの位置を第１の集音形態に戻すことができる。このようにして、第１の集音形態と第２の集音形態との切り替えを行う。なお、スライドレバー６０１の代わりに集音ユニット３０１ａの可動方法を電動式としてもよい。
【００３１】
次に、本発明の第１実施形態に係る電子機器を適用したサウンド処理について図７のフローチャートを参照して説明する。
【００３２】
同図は、ユーザの音声採取等、通常のサウンド処理を行わせる場合の処理を示すフローチャートである。
【００３３】
まず、ＣＰＵ１１１は、故障検出アプリケーションプログラム２０１をＨＤＤ１１７から主メモリ１１２にロードする。故障検出アプリケーション２０１は、ＣＰＵの制御の下、ＯＳ２０２等からサウンド処理の要求を受けた場合（ステップＳ１０１のＹＥＳ）、内蔵マイク３０１を含む集音ユニット３０１ａが第１の集音形態における集音位置にあるか否かを判別する（ステップＳ１０２）。ステップＳ１０２で、故障検出アプリケーション２０１によって、内蔵マイク３０１を含む集音ユニット３０１ａが第１の集音形態における集音位置にあると判別された場合は、サウンド処理を実行する（ステップＳ１０５）。このサウンド処理は、例えば、ユーザの音声採取、コンピュータ１０の外部の音の採取等の通常のサウンド処理である。一方、ステップＳ１０２で、故障検出アプリケーション２０１によって、内蔵マイク３０１を含む集音ユニット３０１ａが第１の集音形態における集音位置にないと判別された場合は、例えば”マイクの位置を第１の位置（第１の集音形態における集音位置）に設定してください”のメッセージをディスプレイ等に表示して、ユーザによる内臓マイクの位置の切り替えを促す（ステップＳ１０３）。その後に、故障検出アプリケーション２０１は、ＣＰＵの制御の下、内蔵マイク３０１を含む集音ユニット３０１ａが第１の集音形態における集音位置にあるか否かを判別する（ステップＳ１０４）。ステップＳ１０４で、故障検出アプリケーション２０１によって、内蔵マイク３０１を含む集音ユニット３０１ａが第１の集音形態における集音位置にあると判別された場合は、サウンド処理を実行する（ステップＳ１０５）。一方、ステップＳ１０４で、故障検出アプリケーション２０１によって、内蔵マイク３０１を含む集音ユニット３０１ａが第１の集音形態における集音位置にないと判別された場合は、ステップＳ１０３に遷移する。
【００３４】
次に、本発明の第１実施形態に係る電子機器を適用した故障予測方法について図８のフローチャートを参照して説明する。
【００３５】
ＣＰＵ１１１は、故障検出アプリケーションプログラム２０１をＨＤＤ１１７から主メモリ１１２にロードする。故障検出アプリケーションプログラム２０１は、ＣＰＵ１１１の制御の下、上述したサウンド処理が実行中であるか否かを判別する（ステップＳ２０１）。ステップＳ２０１で、故障検出アプリケーションプログラム２０１によって、サウンド処理が実行中であると判別された場合は（ステップＳ２０１のＹＥＳ）、故障予測の処理を終了する。即ち、サウンド処理が実行中である場合は、故障予測の処理よりもサウンド処理を優先する。一方、ステップＳ２０１で、故障検出アプリケーションプログラム２０１によって、サウンド処理が実行中でないと判別された場合は（ステップＳ２０１のＮＯ）、故障検出アプリケーション２０１は、ＯＳ２０２等から装置内騒音採取の要求を受けたか否かを判別する（ステップＳ２０２）。ステップＳ２０２で、故障検出アプリケーション２０１によって、装置内騒音採取の要求を受けたと判別された場合、故障検出アプリケーション２０１は、ＣＰＵの制御の下、内蔵マイク３０１を含む集音ユニット３０１ａが第２の集音形態における集音位置にあるか否かを判別する（ステップＳ２０３）。ステップＳ２０３で、故障検出アプリケーション２０１によって、内蔵マイク３０１を含む集音ユニット３０１ａが第２の集音形態における集音位置にあると判別された場合は（ステップＳ２０３のＹＥＳ）、装置内騒音採取の処理および故障予測の処理を実行する（ステップＳ２０６）。一方、ステップＳ２０３で、故障検出アプリケーション２０１によって、内蔵マイク３０１を含む集音ユニット３０１ａが第２の集音形態における集音位置にないと判別された場合は（ステップＳ２０３のＮＯ）、例えば”マイクの位置を第２の位置（第２の集音形態における集音位置）に設定してください”のメッセージをディスプレイ等に表示して、ユーザによる内臓マイクの位置の切り替えを促す（ステップＳ２０４）。その後に、故障検出アプリケーション２０１は、ＣＰＵの制御の下、内蔵マイク３０１を含む集音ユニット３０１ａが第２の集音形態における集音位置にあるか否かを判別する（ステップＳ２０５）。ステップＳ２０５で、故障検出アプリケーション２０１によって、内蔵マイク３０１を含む集音ユニット３０１ａが第２の集音形態における集音位置にあると判別された場合は、装置内騒音採取の処理および故障予測の処理を実行する（ステップＳ２０６）一方、ステップＳ２０６で、故障検出アプリケーション２０１によって、内蔵マイク３０１を含む集音ユニット３０１ａが第２の集音形態における集音位置にないと判別された場合は、ステップＳ２０４に遷移する。なお、第２の集音形態における集音位置は、第１の集音形態における集音位置よりも本体（筐体）１１の内側となるように構成する。
【００３６】
次に、上述した装置内騒音採取の処理および故障予測の処理について詳しく説明する。
【００３７】
故障検出アプリケーション２０１は、装置内騒音採取の処理を行い、コンピュータ１０が備えているＨＤＤ１１７、ＯＤＤ１１８、冷却ＦＡＮ５００等からの騒音採取を実行する。装置内騒音採取の処理時には、ユーザはコンピュータ１０を操作しないことが望ましい。装置内騒音採取の処理を実行する場合は、以下のような場合が挙げられる。例えば、ＯＳ２０２の起動直後に装置内騒音採取の処理を行う場合、ユーザが装置内騒音採取の処理を実行した場合に装置内騒音採取の処理を行う場合、定期的に設定する等のタイミングで装置内騒音採取の処理を行う場合、等である。また、騒音採取の処理を行う場合には、騒音採取を行うデバイスである、ＨＤＤ１１７、ＯＤＤ１１８、冷却ＦＡＮ５００等をそれぞれ単独で稼動させる専用のチェックプログラム（それぞれのデバイスを単独で稼動させるために一定の負荷を掛ける等の処理を行うプログラム）を実行してそれぞれの騒音を採取することが望ましい。
【００３８】
故障検出アプリケーション２０１は、採取した騒音のデータ、ＨＤＤ１１７のＤＢ部１１７ａに記憶されているテーブルデータおよび閾値情報に基づいて、故障予測の処理を行う。上述したテーブルデータおよび閾値情報は、例えば、図９に示すように記憶されている。即ち、ＨＤＤ１１７のテーブルデータおよび閾値情報は、正常な音量の範囲（テーブルデータ）として７−１１（ｄｂ）、正常な稼動時の許容最大範囲（閾値情報）として１１（ｄｂ）として設定されている。さらに、ＯＤＤ１１８は、正常な音量の範囲（テーブルデータ）として９−１４（ｄｂ）、正常な稼動時の許容最大範囲（閾値情報）として１４（ｄｂ）として設定されている。また、冷却ＦＡＮ５００は、正常な音量の範囲（テーブルデータ）として１２−１９（ｄｂ）、正常な稼動時の許容最大範囲（閾値情報）として１９（ｄｂ）として設定されている。
【００３９】
故障検出アプリケーション２０１は、上述したテーブルデータおよび閾値情報に基づいて、故障予測の処理を行う。故障検出アプリケーション２０１は、装置内騒音採取の処理を行い、例えば、ＨＤＤ１１７の騒音を採取する。騒音を採取する場合は、図１０に示されるように、故障検出アプリケーション２０１は、一定時間（Ｔ１）の間に採取した騒音に対して故障予測の処理を行う。故障検出アプリケーション２０１は、一定時間（Ｔ１）の間に採取した騒音、例えば、最小値がＤ１（ｄｂ）、最大値がＤ２（ｄｂ）であった場合、この最小値Ｄ１（ｄｂ）および最大値Ｄ２（ｄｂ）が、ＨＤＤ１１７の正常な音量の範囲として設定されている７−１１（ｄｂ）内にあるかを判別する。故障検出アプリケーション２０１によって、ＨＤＤ１１７の正常な音量の範囲として設定されている７−１１（ｄｂ）内にあると判別された場合は、正常な状態として判別される（図１０参照）。一方、故障検出アプリケーション２０１によって、ＨＤＤ１１７の正常な音量の範囲として設定されている７−１１（ｄｂ）内にないと判別された場合は、さらに、故障検出アプリケーション２０１は、正常な稼動時の許容最大範囲である１１（ｄｂ）を超えているかを判別する。故障検出アプリケーション２０１によって、正常な稼動時の許容最大範囲である１１（ｄｂ）を超えていると判別された場合は、ＨＤＤ１１７が故障する可能性が高いと予測する（図１１参照）。この場合、故障検出アプリケーション２０１は、必要に応じて、ユーザに対して「ＨＤＤ１１７が故障する可能性が高い」旨を報知する。なお、テーブルデータ（正常稼動時のサウンドデータ）は、上述したように、騒音の音量のデータを記憶する場合に限定されるものではない。例えば、騒音の音量のデータに関連付けて、騒音の周波数のデータを記憶しておくようにしてもよい。
【００４０】
上述した第１実施形態を用いることにより、ユーザの音声の採取処理等に用いるための内臓マイクを備えている機器において、この内蔵マイクの集音形態を可動式とすることで、専用のマイク等を用いることなく、機器内部のデバイスの騒音をより正確に採取して、当該デバイスの故障予測を行うことができる。
【００４１】
（第２実施形態）
次に、図１２〜図１４を参照して、本発明の第２実施形態に係る電子機器の構成を説明する。同図は、内臓マイク３０１の集音形態である回転方式を模式的に示した概略図である。なお、集音ユニット３０１ａは、当該集音ユニット３０１ａが本体１１に設けられた軸９００を基準として回動することによって、第１の集音形態と第２の集音形態の両方の形態を取るように構成されている。
【００４２】
本実施形態では、コンピュータ１０の本体（筐体）１１の一部を形成する集音ユニット３０１ａ（内蔵マイク３０１、集音開口部６００）が軸９００を中心として回転する構造になっている。なお、本体１１の上面から見た集音ユニット３０１ａの形状は、正方形であることが望ましい。即ち、集音ユニット３０１ａは本体（筐体）１１の一部を形成するため、回転した後も本体１１に収まる形状が望ましい。
【００４３】
集音ユニット３０１ａの下部には、図１２に示されるように、接触部７００が設けられている。また、コンピュータ１０の本体１１には、集音ユニット３０１ａの接触部７００、第１の集音形態における集音位置を示す位置検出ＳＷ４００ｃ、第２の集音形態における集音位置を示す位置検出ＳＷ４００ｄ、および回転用の軸９００が設けられている。集音ユニット３０１ａの接触部７００が位置検出ＳＷ４００ｃに接触している場合は、図１２に示されるように、集音ユニット３０１ａが第１の集音形態における集音位置に配置されている状態であると故障検出アプリケーション２０１によって判別される。集音ユニット３０１ａが第１の集音形態における集音位置に配置されている状態では、内臓マイク３０１と集音開口部６００とがコンピュータ１０の外部を向いている状態であるので、ユーザの音声等の採取等の一般的なサウンド処理を行うことができる。
【００４４】
同様に、集音ユニット３０１ａの接触部７００が位置検出ＳＷ４００ｄに接触している場合は、図１３に示されるように、集音ユニット３０１ａが第２の集音形態における集音位置に配置されている状態であると故障検出アプリケーション２０１によって判別される。集音ユニット３０１ａを、図１２の状態から図１３の状態に例えば９０度回転させる場合は、例えばユーザ８００によって行われる。また、集音ユニット３０１ａの回転は、電動式にしてもよい。集音ユニット３０１ａが第２の集音形態における集音位置に配置されている状態では（図１３参照）、内臓マイク３０１と集音開口部６００とがコンピュータ１０の内部を向いている状態であるので、コンピュータ１０が備える各種デバイスの騒音を採取することができる。
【００４５】
さらに、図１３の状態から９０度戻すように回転させた場合は、図１４に示されるように、集音ユニット３０１ａが再び第１の集音形態における集音位置に配置されている状態となる。なお、第１実施形態と同様に、サウンド処理時に、集音ユニット３０１ａが第２の集音形態に配置されている場合は、”マイクの位置を第１の位置（第１の集音形態における集音位置）に回転して設定してください”のメッセージをディスプレイ等に表示して、ユーザによる内臓マイクの位置の切り替えを促す。さらに、騒音採取処理時に、集音ユニット３０１ａが第１の集音形態に配置されている場合は、”マイクの位置を第２の位置（第２の集音形態における集音位置）に回転して設定してください”のメッセージをディスプレイ等に表示して、ユーザによる内臓マイクの位置の切り替えを促す。
【００４６】
上述した第２実施形態を用いることにより、第１実施形態と同様の効果を奏することができる。
【００４７】
（第３実施形態）
次に、図１５〜図１７を参照して、本発明の第３実施形態に係る電子機器の構成を説明する。同図は、内臓マイク３０１の集音形態であるプッシュ方式を模式的に示した概略図である。
【００４８】
本実施形態では、集音ユニット３０１ａ（内蔵マイク３０１、集音開口部６００）がユーザによって押し込まれる（プッシュされる）ことにより、集音ユニット３０１ａがコンピュータ１０の本体（筐体）１１内部に入り込む構造となっている。
【００４９】
集音ユニット３０１ａには、接触部７００が設けられている。また、コンピュータ１０の本体１１には、集音ユニット３０１ａの接触部７００、第１の集音形態における集音位置を示す位置検出ＳＷ４００ｅ、第２の集音形態における集音位置を示す位置検出ＳＷ４００ｆ、およびスライド扉９５０が設けられている。集音ユニット３０１ａの接触部７００が位置検出ＳＷ４００ｅに接触している場合は、図１５に示されるように、集音ユニット３０１ａが第１の集音形態における集音位置に配置されている状態であると故障検出アプリケーション２０１によって判別される。集音ユニット３０１ａが第１の集音形態における集音位置に配置されている状態では、内臓マイク３０１と集音開口部６００とがコンピュータ１０の外部を向いている状態であるので、ユーザの音声等の採取を行うことができる。
【００５０】
同様に、ユーザによって集音ユニット３０１ａが押し込まれることで、集音ユニット３０１ａの接触部７００が位置検出ＳＷ４００ｆに接触している場合は、図１６に示されるように、集音ユニット３０１ａが第２の集音形態における集音位置に配置されている状態であると故障検出アプリケーション２０１によって判別される。この状態では、集音ユニット３０１ａの本体（筐体）１１側に設けられたスプリング３０１ｂが圧縮されている状態であり、爪状のラッチ９６０が本体１１から競り出すことによって固定される（図１６参照）。
【００５１】
集音ユニット３０１ａが図１５の状態から図１６の状態になった場合、集音ユニット３０１ａの集音開口部６００の前に集音ユニット３０１ａと同じ大きさの開口部が現れることになる。ユーザによってスライド扉９５０がスライドされた場合、スライド扉９５０によってこの開口部を塞ぐことにより、コンピュータ１０の外部からの音が内臓マイク３０１に集音されるのを防止することができる。また、集音ユニット３０１ａの押し込み（プッシュ）やスライド扉９５０のスライドは、電動式にしてもよい。集音ユニット３０１ａが第２の集音形態における集音位置に配置されている状態では、内臓マイク３０１と集音開口部６００とがコンピュータ１０の内部に配置されている状態であるので、コンピュータ１０が備える各種デバイスの騒音を採取することができる。さらに、図１６の状態からスライド扉９５０を左にスライドさせて開口部を開放した後に、再び集音ユニット３０１ａを押し込むことにより、図１７に示されるように、集音ユニット３０１ａが再び第１の集音形態における集音位置に配置されている状態となる。なお、この状態では、集音ユニット３０１ａの本体（筐体）１１側に設けられたスプリング３０１ｂが開放されている状態であり、ラッチ９６０は本体１１に収納される。なお、第１実施形態と同様に、サウンド処理時に、集音ユニット３０１ａが第２の集音形態に配置されている場合は、”スライド扉を開いてマイクの位置を第１の位置（第１の集音形態における集音位置）に設定してください”のメッセージをディスプレイ等に表示して、ユーザによる内臓マイクの位置の切り替えを促す。さらに、騒音採取処理時に、集音ユニット３０１ａが第１の集音形態に配置されている場合は、”スライド扉を閉めて、マイクの位置を第２の位置（第２の集音形態における集音位置）に設定してください”のメッセージをディスプレイ等に表示して、ユーザによる内臓マイクの位置の切り替えを促す。
【００５２】
上述した第３実施形態を用いることにより、第１実施形態と同様の効果を奏することができる。
【００５３】
（第４実施形態）
次に、図１８〜図２０を参照して、本発明の第４実施形態に係る電子機器の構成を説明する。同図は、内臓マイク３０１の集音形態であるスライド扉方式を模式的に示した概略図である。
【００５４】
本実施形態では、集音ユニット３０１ａ（内蔵マイク３０１、集音開口部６００）が備える集音開口部６００をスライド扉９５０で覆う状態とすることにより、スライド扉９５０がコンピュータ１０の外部からの音を遮断し、内蔵マイク３０１がコンピュータ１０の内部の騒音を採取する構造になっている。即ち、集音ユニット３０１ａは音を取り込むための集音開口部６００と、集音開口部６００を閉塞状態または開放状態とするためのスライド扉９５０とを備えており、スライド扉９５０がスライドされ集音開口部６００が閉塞状態または開放状態となることによって、第１の集音形態と第２の集音形態の両方の形態を取る構成となっている。
【００５５】
コンピュータ１０の本体１１には、スライド扉９５０が開いた状態で接する位置検出ＳＷ４００ｉが設けられている。図１８に示されるように、集音開口部６００を、スライド扉９５０が覆っていない状態、即ち、スライド扉９５０が開いている開放状態（第１の集音形態）では、スライド扉９５０に位置検出ＳＷ４００ｉが接することにより、スライド扉９５０が開放状態であると故障検出アプリケーション２０１によって判別される。この開放状態おいては、内蔵マイク３０１は、コンピュータ１０の外部の音（ユーザの音声等）を採取することができる。
【００５６】
一方、図１９に示されるように、スライド扉９５０をユーザにより（または電動により）右方向にスライドさせた場合、集音開口部６００をスライド扉９５０が覆う状態、即ち、スライド扉９５０が閉じている閉塞状態（第２の集音形態：故障予測処理）では、スライド扉９５０と位置検出ＳＷ４００ｉとが離れることにより、スライド扉９５０が閉塞状態であると故障検出アプリケーション２０１によって判別される。この閉塞状態においては、内蔵マイク３０１は、スライド扉９５０によりコンピュータ１０の外部の音が遮断されるため、コンピュータ１０の内部の騒音（コンピュータ１０が備える各種デバイスの騒音等）を採取することができる。
【００５７】
さらに、図１９の状態からスライド扉９５０を左にスライドさせて、スライド扉９５０が位置検出ＳＷ４００ｉと接触することにより、図２０に示されるように、開放状態（第１の集音形態：サウンド処理時）であると故障検出アプリケーション２０１によって判別される。なお、第１実施形態と同様に、サウンド処理時に、スライド扉９５０が閉塞状態である場合は、”スライド扉を開いてください”のメッセージをディスプレイ等に表示して、ユーザによるスライド扉の位置の切り替えを促す。さらに、騒音採取処理時に、スライド扉９５０が開放状態にある場合は、”スライド扉を閉めてください”のメッセージをディスプレイ等に表示して、ユーザによるスライド扉９５０の位置の切り替えを促す。
【００５８】
上述した第４実施形態を用いることにより、第１実施形態と同様の効果を奏することができる。
【００５９】
（第５実施形態）
次に、図２１を参照して、本発明の第５実施形態に係る電子機器の構成を説明する。同図は、内臓マイク３０１の集音形態である集音開口部６００が可動する方式を模式的に示した概略図である。
【００６０】
本実施形態では、内臓マイク３０１から回転部９７０まで集音パイプ６１０（第１の集音部材）が配設されている。また、回転部９７０から集音開口部６００まで集音パイプ（第２の集音部材）６１０ａが配設されている。集音パイプ６１０ａの先端には、集音位置である集音開口部６００が設けられている。
【００６１】
ユーザによって（または電動によって）回転部９７０を回転（回動）させることにより、回転部９７０に接続された集音パイプ６１０ａおよび集音開口部６００が回転され、第１の集音形態における集音位置および第２の集音形態における集音位置に配置される。即ち、回転部９７０を回転させることで、第１の集音形態および第２の集音形態の切り替えを行う。また、コンピュータ１０の本体１１には、第１の集音形態における集音位置および第２の集音形態における集音位置の位置検出を行うための位置検出ＳＷ４００ｇ、４００ｈが設けられている。
【００６２】
集音パイプ６１０ａの先端に接続された集音開口部６００が第１の集音形態における集音位置（第１の集音位置）に配置されている状態では、コンピュータ１０の本体１１の外部の音を採取する。この場合、位置検出ＳＷ４００ｇに集音パイプ６１０ａが接触することにより、集音パイプ６１０ａの集音開口部６００が第１の集音形態における集音位置に配置されていると故障検出アプリケーション２０１によって判別される。集音開口部６００が第２の集音形態における集音位置（第２の集音位置）に配置されている状態では、集音開口部６００がコンピュータ１０の所定のデバイスの近傍に配置される構成となっており、この所定のデバイスの騒音を集中して採取することができる（例えば、第２の集音形態における集音位置をＨＤＤ１１７の近傍とする等）。この場合、位置検出ＳＷ４００ｈに集音パイプ６１０ａが接触することにより、集音パイプ６１０ａの集音開口部６００が第２の集音形態における集音位置に配置されていると故障検出アプリケーション２０１によって判別される。
【００６３】
回転部９７０には、図２２に示されるように、ユーザが回転部９７０を回転させる場合に把持する凸部９７０ａが上面に設けられている。また、凸部９７０ａには、集音開口部６００が第１の集音形態における集音位置または第２の集音形態における集音位置に配置されているかを示すマーキングである矢印９７０ｂが付されている。例えば、集音開口部６００が第１の集音形態における集音位置に配置されている場合は図２２に示す状態となり、集音開口部６００が第２の集音形態における集音位置に配置されている場合は回転部９７０が回転することにより図２３に示す状態となる。このため、ユーザは、矢印９７０ｂの示している方向に集音開口部６００が配置されていることを直感的に把握することができる。
【００６４】
上述した第５実施形態を用いることにより、第１実施形態と同様の効果に加えて、所定のデバイスの近傍で騒音を集中して採取することにより、所定のデバイスの騒音の採取の精度が向上するため、特に故障予測を行いたいデバイスに対して、故障予測の精度を向上させることができる。
【００６５】
また、上述した故障検出アプリケーション２０１は、ＯＳ２０２の一機能としてＯＳ２０２に組み込むように構成しても良い。さらに、故障検出アプリケーション２０１を「コンピュータ読み取り可能記憶媒体」に格納されているようにしてもよい。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００６７】
１０…コンピュータ、１１…本体（筐体）、１１１…ＣＰＵ、１１２…主メモリ、１１７…ＨＤＤ、１１７ａ…ＤＢ部、１１８…ＯＤＤ、１１９…ＢＩＯＳ−ＲＯＭ、１２０…ＥＣ、１２１…ＬＣＤ、２０１…故障検出アプリケーション、２０１ａ…制御判別部、２０２…ＯＳ、３０１…内臓マイク、３０１ａ…集音ユニット、４００…位置検出センサ、４００ａ〜４００ｉ…位置検出ＳＷ、５００…冷却ＦＡＮ、６００…集音開口部、６０１…スライドレバー、６１０、６１０ａ…集音パイプ、７００…接触部、９００…軸、９５０…スライド扉、９７０…回転部。
【図１】
2011128012.tif 000003
【図２】
2011128012.tif 000004
【図３】
2011128012.tif 000005
【図４】
2011128012.tif 000006
【図５】
2011128012.tif 000007
【図６】
2011128012.tif 000008
【図７】
2011128012.tif 000009
【図８】
2011128012.tif 000010
【図９】
2011128012.tif 000011
【図１０】
2011128012.tif 000012
【図１１】
2011128012.tif 000013
【図１２】
2011128012.tif 000014
【図１３】
2011128012.tif 000015
【図１４】
2011128012.tif 000016
【図１５】
2011128012.tif 000017
【図１６】
2011128012.tif 000018
【図１７】
2011128012.tif 000019
【図１８】
2011128012.tif 000020
【図１９】
2011128012.tif 000021
【図２０】
2011128012.tif 000022
【図２１】
2011128012.tif 000023
【図２２】
2011128012.tif 000024
【図２３】
2011128012.tif 000025